(57)【特許請求の範囲】
【請求項１】
撮影光路内に配置され、被写体光束の一部を観察光路側に導く光路分割手段と、
上記観察光路側に配置されたリレー光学系と、
上記リレー光学系の結像位置に配置されたスクリーンと、
上記スクリーン上に形成された被写体像を観察するためのルーペ光学系と、
を具備し、
上記ルーペ光学系は着脱自在であり、このルーペ光学系を外した状態に於いて上記スクリーンの位置若しくは傾きを調整可能にしたことを特徴とする一眼レフカメラ。
【請求項２】
上記スクリーンは、上記観察光路の光軸方向の位置、若しくは上記観察光路の光軸に対する傾きを調整可能であることを特徴とする請求項１に記載の一眼レフカメラ。
【請求項３】
上記スクリーンの位置を規制する規制部材を更に具備し、
上記規制部材に配置された３箇所の受け面のカメラ本体に対する相対的位置を変化させることによって調整を行うことを特徴とする請求項１に記載の一眼レフカメラ。
【請求項４】
撮影光路内に配置された光路分割手段と、
上記光路分割手段により分割された観察光路側に配置されたリレー光学系と、
上記リレー光学系が結像する位置に配置されたスクリーンと、
上記スクリーンを観察可能な位置に配置されたルーペ光学系と、
を具備し、
上記観察光路の光軸に対して、上記スクリーンの、光軸方向の位置及び光軸に対する傾きを、上記ルーペ光学系の方向から調整可能に構成したことを特徴とするカメラ。
【請求項５】
上記スクリーンの調整は、該スクリーンの位置を規制する規制部材に配置された３箇所の、カメラに対する相対的位置を変化させることにより行うことを特徴とする請求項４に記載のカメラ。
【請求項６】
上記ルーペ光学系は、着脱自在であることを特徴とする請求項４に記載のカメラ。
【請求項７】
上記スクリーンの調整は、上記ルーペ光学系を取り外した状態で可能であることを特徴とする請求項４に記載のカメラ。
【請求項８】
撮影光路に配置された撮像素子と、
上記撮影光路内に配置された第１の光路分割手段と、
上記第１の光路分割手段により分割された観察光路側に配置されたリレー光学系と、
上記リレー光学系が結像する位置に配置されたスクリーンと、
上記第１の光路分割手段と上記スクリーンの間に配置された、第２の光路分割手段と、
上記第２の光路分割手段により分割された透過光側に配置された測距手段と、
上記スクリーンを観察可能な位置に配置されたルーペ光学系と、
を具備し、
上記スクリーンは、上記撮像素子の結像面に対して等価な位置に調整可能であることを特徴とするカメラ。
【請求項９】
上記第１、第２の光路分割手段は、ハーフミラーであることを特徴とする請求項８に記載のカメラ。
【請求項１０】
上記第１の光路分割手段は、可動ミラーであることを特徴とする請求項８に記載のカメラ。
【請求項１１】
上記第１の光路分割手段は、１駒撮影時には撮影光路から退避状態となり、スルー画モード時には撮影光路内にて光路分割する状態にあることを特徴とする請求項８に記載のカメラ。
【請求項１２】
上記観察光路側の入射位置には、カバーガラスが配置されていることを特徴とする請求項８に記載のカメラ。
【請求項１３】
撮影レンズを通過した被写像を撮像する撮像素子と、
撮影光路内に配置されるもので、上記被写体像を観察光路側に導く光路分割手段と、
上記観察光路側に配置されたリレー光学系と、
上記リレー光学系の結像位置に配置されたスクリーンと、
上記スクリーン上に形成された被写体像を観察するためのもので、カメラ本体に着脱自在なルーペ光学系と、
を具備し、
上記ルーペ光学系を上記カメラ本体より外した状態に於いて、上記スクリーンの位置若しくは傾きを調整可能にしたことを特徴とする一眼レフカメラ。
【請求項１４】
上記スクリーンは、上記観察光路の光軸方向の位置、若しくは上記観察光路の光軸に対する傾きを調整可能であることを特徴とする請求項１３に記載の一眼レフカメラ。
【請求項１５】
上記スクリーンの位置を規制する規制部材を更に具備し、
上記規制部材に配置された３箇所の受け面のカメラ本体に対する相対的位置を変化させることによって調整を行うことを特徴とする請求項１３に記載の一眼レフカメラ。
【請求項１６】
撮影レンズを通過した被写体像を撮像する撮像素子と、
撮影光路内に配置された光路分割手段と、
上記光路分割手段により分割された観察光路側に配置されたリレー光学系と、
上記リレー光学系が結像する位置に配置されたスクリーンと、
上記スクリーンを観察可能な位置に配置されたルーペ光学系と、
を具備し、
上記観察光路の光軸に対して上記スクリーンの、光軸方向の位置及び光軸に対する傾きを上記ルーペ光学系の方向から調整可能に構成したことを特徴とする一眼レフカメラ。
【請求項１７】
上記スクリーンの調整は、該スクリーンの位置を規制する規制部材に配置された３箇所の、カメラに対する相対的位置を変化させることにより行うことを特徴とする請求項１６に記載の一眼レフカメラ。
【請求項１８】
上記ルーペ光学系は、上記カメラ本体に着脱自在であることを特徴とする請求項１６に記載の一眼レフカメラ。
【請求項１９】
上記スクリーンの調整は、上記ルーペ光学系を上記カメラ本体より取り外した状態で行うことを特徴とする請求項１６に記載の一眼レフカメラ。
【発明の詳細な説明】
【技術分野】
【０００１】
本発明は一眼レフカメラに関し、より詳細にはフォーカシングスクリーンを交換可能な一眼レフカメラの改良に関するものである。
【背景技術】
【０００２】
従来より、撮影レンズ等の撮影光学系により結像される被写体像を、撮像素子によって光電変換し、これにより得られた画像信号に基づいて液晶モニタ等の画像表示装置に表示するカメラが一般的に知られている。
【０００３】
こうした被写体像を表示するカメラとしては、本露出用の露出手段とは別に、被写界のモニタ用に別の撮像手段を設けてファインダ光学系内にハーフミラーを配置し、スルー画（ほぼリアルタイムの動画像）表示用の撮像素子に被写体光束を導くカメラが知られている。この場合、スルー画表示モードでは、撮像素子によって繰り返し撮像を行い、表示装置に表示するものである（例えば、特許文献１参照）。また、この特許文献１に記載されたカメラでは、クイックリターンミラーからフォーカシングスクリーンまでの間にリレー光学系を配置し、その途中で光路を分割してＡＦセンサに光束を導くようにしている。
【０００４】
更に、クイックリターンミラーをハーフミラーで構成して、ライブビュー表示（スルー画表示）を行う一眼レフカメラが知られている（例えば、特許文献２参照）。
【特許文献１】特開２０００−１６５７３０号公報
【特許文献２】特開２００１−１８６４０１号公報
【発明の開示】
【発明が解決しようとする課題】
【０００５】
ところで、従来の一眼レフレックスカメラ（以下、単に一眼レフカメラと記す）に於いては、クイックリターンミラーをハーフミラーで構成し、その後方にサブミラーを配置しており、このサブミラーによって被写体光束をＡＦセンサに導くようにしている。しかしながら、こうした構成の一眼レフカメラでは、クイックリターンミラーの後方にサブミラーが存在するために、上述したスルー画表示を行うことができない。
【０００６】
これに対し、上記特許文献１に記載のカメラでは、スルー画表示を行うことはできるものの、通常クイックリターンミラー後方に配置されているサブミラーを有していないため、位相差方式のＡＦを行うことはできないものであった。
【０００７】
また、一眼レフカメラに於いては、カメラの用途に応じてフォーカシングスクリーンの交換が可能であった。こうしたフォーカシングスクリーンの交換は、レンズを本体部のマウントから外し、マウントの開口部から行うものであった。しかしながら、上記特許文献２に記載のカメラでは、フォーカシングスクリーンの前方にリレー光学系が配置されているため、フォーカシングスクリーンの交換や調整を行うことができないものであった。
【０００８】
したがって、本発明は上記実情に鑑みてなされたものであり、スルー画表示とＡＦを両立させると共に、フォーカシングスクリーンの位置若しくは傾きを調整可能なカメラ及び一眼レフカメラを提供することを目的とする。
【課題を解決するための手段】
【０００９】
すなわち請求項１に記載の発明は、撮影光路内に配置され、被写体光束の一部を観察光路側に導く光路分割手段と、上記観察光路側に配置されたリレー光学系と、上記リレー光学系の結像位置に配置されたスクリーンと、上記スクリーン上に形成された被写体像を観察するためのルーペ光学系と、を具備し、上記ルーペ光学系は着脱自在であり、このルーペ光学系を外した状態に於いて上記スクリーンの位置若しくは傾きを調整可能にしたことを特徴とする。
【００１０】
請求項２に記載の発明は、請求項１に記載の発明に於いて、上記スクリーンは、上記観察光路の光軸方向の位置、若しくは上記観察光路の光軸に対する傾きを調整可能であることを特徴とする。
【００１１】
請求項３に記載の発明は、請求項１に記載の発明に於いて、上記スクリーンの位置を規制する規制部材を更に具備し、上記規制部材に配置された３箇所の受け面のカメラ本体に対する相対的位置を変化させることによって調整を行うことを特徴とする。
【００１２】
請求項４に記載の発明は、撮影光路内に配置された光路分割手段と、上記光路分割手段により分割された観察光路側に配置されたリレー光学系と、上記リレー光学系が結像する位置に配置されたスクリーンと、上記スクリーンを観察可能な位置に配置されたルーペ光学系と、を具備し、上記観察光路の光軸に対して、上記スクリーンの、光軸方向の位置及び光軸に対する傾きを、上記ルーペ光学系の方向から調整可能に構成したことを特徴とする。
【００１３】
請求項５に記載の発明は、請求項４に記載の発明に於いて、上記スクリーンの調整は、該スクリーンの位置を規制する規制部材に配置された３箇所の、カメラに対する相対的位置を変化させることにより行うことを特徴とする。
【００１４】
請求項６に記載の発明は、請求項４に記載の発明に於いて、上記ルーペ光学系は、着脱自在であることを特徴とする。
【００１５】
請求項７に記載の発明は、請求項４に記載の発明に於いて、上記スクリーンの調整は、上記ルーペ光学系を取り外した状態で可能であることを特徴とする。
【００１６】
請求項８に記載の発明は、撮影光路に配置された撮像素子と、上記撮影光路内に配置された第１の光路分割手段と、上記第１の光路分割手段により分割された観察光路側に配置されたリレー光学系と、上記リレー光学系が結像する位置に配置されたスクリーンと、上記第１の光路分割手段と上記スクリーンの間に配置された、第２の光路分割手段と、上記第２の光路分割手段により分割された透過光側に配置された測距手段と、上記スクリーンを観察可能な位置に配置されたルーペ光学系と、を具備し、上記スクリーンは、上記撮像素子の結像面に対して等価な位置に調整可能であることを特徴とする。
【００１７】
請求項９に記載の発明は、請求項８に記載の発明に於いて、上記第１、第２の光路分割手段は、ハーフミラーであることを特徴とする。
【００１８】
請求項１０に記載の発明は、請求項８に記載の発明に於いて、上記第１の光路分割手段は、可動ミラーであることを特徴とする。
【００１９】
請求項１１に記載の発明は、請求項８に記載の発明に於いて、上記第１の光路分割手段は、１駒撮影時には撮影光路から退避状態となり、スルー画モード時には撮影光路内にて光路分割する状態にあることを特徴とする。
【００２０】
請求項１２に記載の発明は、請求項８に記載の発明に於いて、上記観察光路側の入射位置には、カバーガラスが配置されていることを特徴とする。
【００２１】
請求項１３に記載の発明は、撮影レンズを通過した被写像を撮像する撮像素子と、撮影光路内に配置されるもので、上記被写体像を観察光路側に導く光路分割手段と、上記観察光路側に配置されたリレー光学系と、上記リレー光学系の結像位置に配置されたスクリーンと、上記スクリーン上に形成された被写体像を観察するためのもので、カメラ本体に着脱自在なルーペ光学系と、を具備し、上記ルーペ光学系を上記カメラ本体より外した状態に於いて、上記スクリーンの位置若しくは傾きを調整可能にしたことを特徴とする。
【００２２】
請求項１４に記載の発明は、請求項１３に記載の発明に於いて、上記スクリーンは、上記観察光路の光軸方向の位置、若しくは上記観察光路の光軸に対する傾きを調整可能であることを特徴とする。
【００２３】
請求項１５に記載の発明は、請求項１３に記載の発明に於いて、上記スクリーンの位置を規制する規制部材を更に具備し、上記規制部材に配置された３箇所の受け面のカメラ本体に対する相対的位置を変化させることによって調整を行うことを特徴とする。
【００２４】
請求項１６に記載の発明は、撮影レンズを通過した被写体像を撮像する撮像素子と、撮影光路内に配置された光路分割手段と、上記光路分割手段により分割された観察光路側に配置されたリレー光学系と、上記リレー光学系が結像する位置に配置されたスクリーンと、上記スクリーンを観察可能な位置に配置されたルーペ光学系と、を具備し、上記観察光路の光軸に対して上記スクリーンの、光軸方向の位置及び光軸に対する傾きを上記ルーペ光学系の方向から調整可能に構成したことを特徴とする。
【００２５】
請求項１７に記載の発明は、請求項１６に記載の発明に於いて、上記スクリーンの調整は、該スクリーンの位置を規制する規制部材に配置された３箇所の、カメラに対する相対的位置を変化させることにより行うことを特徴とする。
【００２６】
請求項１８に記載の発明は、請求項１６に記載の発明に於いて、上記ルーペ光学系は、上記カメラ本体に着脱自在であることを特徴とする。
【００２７】
請求項１９に記載の発明は、請求項１６に記載の発明に於いて、上記スクリーンの調整は、上記ルーペ光学系を上記カメラ本体より取り外した状態で行うことを特徴とする。
【発明の効果】
【００２８】
本発明によれば、スルー画表示とＡＦを両立させると共に、フォーカシングスクリーンの位置若しくは傾きを調整可能なカメラ及び一眼レフカメラを提供することができる。
【発明を実施するための最良の形態】
【００２９】
以下、図面を参照して、本発明の実施形態を説明する。
【００３０】
（第１の実施形態）
図１及び図２は、本発明の第１の実施形態を示すもので、本発明に係るデジタル一眼レフカメラの本体部の構成を示す断面図であり、図１は被写体観察時の状態を示した図、図２はフォーカシングスクリーンの交換時の状態を示した図である。
【００３１】
図１及び図２に於いて、このデジタル一眼レフカメラ（以下、カメラと略記する）は、カメラ本体部としてのカメラボディ１０と、交換レンズ８０とから主に構成されており、該カメラボディ１０の前面部に設けられたボディマウント４５に、所望の交換レンズ８０が着脱自在に装着される。
【００３２】
図１に於いて、交換レンズ８０より入射された被写体光束は、ハーフミラーで構成されたメインミラー１１の表面で反射され、更にカバーガラス１２を介してプリズム１３に入射する。プリズム１３に入射された被写体光束は、プリズム１３内の反射面とミラーＡ（以下、ミラー（Ａ）と記す）１５で反射され、複数のレンズで構成されるリレー系レンズ１６を介して、更にミラーＢ（以下、ミラー（Ｂ）と記す）１７及びミラーＣ（以下、ミラー（Ｃ）と記す）１８で反射され、フォーカシングスクリーン１０３、複数のレンズを有してルーペ光学系を構成する接眼レンズユニット１１０を通って、図示されない撮影者の眼により観察される。
【００３３】
尚、上記プリズム１３、ミラー（Ａ）１５、リレー系レンズ１６、ミラー（Ｂ）１７及びミラー（Ｃ）１８は、リレー光学系を構成している。これらリレー光学系は、カバーガラス１２の近傍で結像した被写体像を、フォーカシングスクリーン１０３に再度結像させるためのものである。尚、カバーガラス１２は、リレー光学系側に塵埃が進入することを防止するために設けられている。
【００３４】
上記ミラー（Ｂ）１７は、ハーフミラーで構成された第２の光路分割手段である。このミラー（Ｂ）１７に入射される被写体光束の一部は、ミラー（Ｂ）１７を透過し、該ミラー（Ｂ）１７の後方に配置されたＡＦ光学系２５を介して自動測距を行うための測距手段であるＡＦセンサ２７に導かれる。上記ＡＦ光学系２５は、光束を集めるためのコンデンサレンズ２１と、光束を制限するセパレータ絞り２２と、光束を再結像させるセパレータレンズ２３とから構成されている。
【００３５】
上記フォーカシングスクリーン１０３は、詳細を後述するが、スクリーン枠保持板１０１とスクリーン枠１０２によって固定されている。また、接眼レンズユニット１１０は、フォーカシングスクリーン１０３上に形成された被写体像を観察するためのルーペ光学系であり、視度調整レンズ１１２を含む複数のレンズ及び接眼ガラス１１３を有して構成され、それぞれのレンズが接眼枠１１１に保持されている。そして、接眼ガラス１１３は、接眼枠１１１とアイカップ１１５に挟持されるようにして固定されている。また、この接眼レンズユニット１１０は、カメラボディ１０に対して着脱自在に取り付けられる。尚、この接眼レンズユニット１１０とカメラボディ１０との取り付け構造の詳細については後述する。
【００３６】
上記メインミラー１１は、軸１１ａを中心に回動可能に設けられている第１の光路分割手段である。被写体観察時は図１に示される位置に配置されており、撮影時は軸１１ａを中心に上方に移動して、図示されないが、撮影光路より退避された位置（退避位置）となる。また、本実施形態に於いて、上記メインミラー１１は回動可能なハーフミラーで構成しているが、これに限られるものではなく、入射光束を上述したリレー光学系側と後述するイメージャ３５側とに分割するものであれば、固定式のハーフミラーや、光を透過しない回動可能な反射ミラーで構成してもよいものである。
【００３７】
撮影光軸上でメインミラー１１の後方には、フォーカルプレーンシャッタ３３、ローパスフィルタ３４及びイメージャプレート３６に装着された第１の撮像素子であるイメージャ３５が、配設されている。また、イメージャプレートの後方には、種々の電気部品が装填された基板３８が配置されている。更に、この基板３８の後方には、液晶ディスプレイ等で構成されたモニタ４０が配置されている。撮影者は、カメラボディ１０の背面側に設けられたモニタ窓４１を通して、モニタ４０の画面に表示された画像を視認することができる。
【００３８】
図３は、上述したルーペ光学系である接眼レンズユニット１１０をカメラボディ１０より取り外した状態を示した図である。
【００３９】
接眼レンズユニット１１０は、例えば、以下に述べるバヨネット着脱機構によって、カメラボディ１０に着脱自在に装着される。すなわち、カメラボディ１０の接眼レンズユニット１１０が装着される位置には、開口１０ａが設けられており、該開口１０ａの外周部には、接眼枠１１１に形成されたバヨネットツメ部１１１ａと係合するためのバヨネットツメ部１０ｂが形成されている。接眼枠１１１側のバヨネットツメ部１１１ａは、その円周方向に複数箇所、例えば３箇所に設けられている。
【００４０】
したがって、接眼レンズユニット１１０を所定の円周方向に回転させ、互いのバヨネットツメ部を外した後に図示矢印方向に引き出せば、接眼レンズユニット１１０はカメラボディ１０から離脱される。この状態で、フォーカシングスクリーン１０３が外部に露出されるので、例えばピンセット等の用具により該フォーカシングスクリーン１０３を取り外すことが可能になる。また、接眼レンズユニット１１０をカメラボディ１０に装着させるには、上述した操作と逆の順序にて、互いのバヨネットツメ部を係合させればよい。
【００４１】
次に、図４及び図５を参照して、フォーカシングスクリーン１０３の着脱について説明する。
【００４２】
図４はフォーカシングスクリーン１０３を保持する機構について説明するもので、（ａ）はスクリーン枠１０２の閉鎖状態を示した図、（ｂ）はスクリーン枠の開放状態の例を示した図である。
【００４３】
カメラの使用時は、図４（ａ）に示されるように、スクリーン枠１０２は閉鎖状態となっている。つまり、フォーカシングスクリーン１０３は開口面を有するスクリーン枠１０２内に収容されている。このスクリーン枠１０２は、図４（ａ）に於いて下方向にスクリーン枠保持軸１０６が設けられており、このスクリーン枠保持軸１０６を中心にして、図４（ｂ）に示されるように、略９０°回動可能になっている。
【００４４】
また、図４（ａ）に於いてスクリーン枠１０２の上方向にはツメ部１０２ａが形成されている。このツメ部１０２ａが、弾性部材であるスクリーン枠保持板１０１の開口部１０１ａ内に嵌挿されることにより、フォーカシングスクリーン１０３は、ルーペ光学系の光軸方向と直交する方向に、その面を有して固定される（図４（ａ）の状態）。そして、スクリーン枠保持板１０１の開口部１０１ａからスクリーン枠１０２のツメ部１０２ａを離脱させることにより、スクリーン枠１０２が回転して、図４（ｂ）に示されるように、フォーカシングスクリーン１０３を取り出し可能な状態となる。すなわち、この状態で、フォーカシングスクリーン１０３の交換、または清掃を実行することができる。
【００４５】
尚、スクリーン枠１０２を閉鎖させる場合には、スクリーン枠保持軸１０６を中心にしてスクリーン枠１０２の上方を押して回転させることにより、ツメ部１０２ａがスクリーン枠保持板１０１の一部に形成されたフック部１０１ｂを弾性変形させて、開口部１０１ａ内に進入する。これによって、スクリーン枠１０２が閉鎖された状態となる。
【００４６】
次に、図５を参照して、上述したフォーカシングスクリーン１０３を含むスクリーン枠１０２を固定するための機構について説明する。
【００４７】
図５はフォーカシングスクリーン１０３を調整するための機構について説明するもので、（ａ）はその断面図、（ｂ）は斜視図である。これは、イメージャ３５の状態にフォーカシングスクリーン１０３の傾きを正確に調整するための機構であり、フォーカシングスクリーン１０３の中心位置だけでなく周辺部の傾きも調整するようにしたものである。このフォーカシングスクリーン１０３の傾きを調整しないと、フォーカシングスクリーン１０３上に被写体が合焦しているように見えて、実際には合焦面がずれている場合があってもわからないことになる。したがって、フォーカシングスクリーン１０３の調整は正確に行わなければならない。
【００４８】
フォーカシングスクリーン１０３を収容したスクリーン枠１０２は、中央に開口を有した規制部材であるスクリーン受台１００に固定されている。スクリーン枠１０２の周囲のスクリーン受台１００の３箇所には、固定ネジ１２２ａ、１２２ｂ、１２２ｃと係合するためのネジ孔１２３ａ、１２３ｂ、１２３ｃが形成されている。尚、フォーカシングスクリーン１０３は、図５（ａ）に於いて左側（被写体側）をフレネルレンズ面１０３ａ、右側（接眼レンズ側）をマット面１０３ｂとしている。
【００４９】
一方、このスクリーン受台１００を固定するためのファインダ本体の、フォーカシングスクリーン１０３と対向する面には、上記固定ネジ１２２ａ、１２２ｂ、１２２ｃに対応するネジ穴１２４ａ、１２４ｂ、１２４ｃ（図５（ｂ）には２箇所のみ示される）が形成されている。上記ファインダ本体１２０は、図１及び図２には示されないが、カメラボディ１０に固定された部品である。したがって、このファインダ本体１２０にスクリーン受台１００が固定されることによって、フォーカシングスクリーン１０３の位置が固定されることになる。
【００５０】
固定ネジ１２２ａ、１２２ｂ、１２２ｃが、ネジ孔１２３ａ、１２３ｂ、１２３ｃを介してネジ穴１２４ａ、１２４ｂ、１２４ｃに螺合することによって、スクリーン受台１００がファインダ本体１２０に固定される。ここで、イメージャ３５の位置を、図示されない測定装置によって測定することによって、スクリーン受台１００とファインダ本体１２０との間に必要な間隔が求められる。したがって、この間隔からスクリーン受台１００とファインダ本体１２０との間に必要なスペーサの厚さと個数が算出される。
【００５１】
例えば、図５（ａ）、（ｂ）に示される例では、厚さの異なる２つのスペーサ１２１ａ及び１２１ｂが、スクリーン受台１００とファインダ本体１２０との間に入れられている。このスペーサの厚み、数が、上記固定ネジ１２２ａ、１２２ｂ、１２２ｃに対応する３箇所のそれぞれについて変更されることによって、フォーカシングスクリーン１０３の傾き、位置が調整されることになる。
【００５２】
そして、固定ネジ１２２ａ〜１２２ｃのネジ部が、スクリーン受台１００のネジ孔１２３ａ〜１２３ｃ、決定されたスペーサの中心の開口部に挿通され、更にファィンダ本体１２０のネジ穴１２４ａ〜１２４ｃと螺合されることにより、スクリーン受台１００がファインダ本体１２０に固定される。
【００５３】
このようにして、フォーカシングスクリーン１０３は、観察光路の光軸方向の位置、または観察光路の光軸に対する傾きを、上記ルーペ光学系の方向から調整可能にしている。
【００５４】
図６は、本実施形態に於けるデジタル一眼レフカメラの電気系の構成を示すブロック図である。尚、このカメラのブロック図は、交換レンズが装着された状態を示している。
【００５５】
図６に於いて、演算部５０は、このカメラ全体の制御を司ると共に演算を行うためのもので、制御手段の機能を有する、例えばＣＰＵ等により構成される。この演算部５０には、モータ駆動回路５１を介してシャッタミラー駆動モータ５２が接続されると共に、シャッタ制御回路５３を介してフォーカルプレーンシャッタ３３が接続されている。
【００５６】
また、上記演算部５０には、自動測距を行うためのＡＦセンサ２７と、被写体の明るさを測定する測光センサ５６と、シャッタチャージが行われたときに切り替わるチャージカムスイッチ（ＳＷ）５７と、フォーカルプレーンシャッタ３３の先幕（図示せず）に取り付けられるもので、シャッタの開口部の全開状態を検出するための先幕スイッチ（ＳＷ）５８と、イメージャ３５を駆動するためのイメージャ駆動回路６０と、モニタ４０を駆動するためのモニタ駆動回路６２とが接続されている。
【００５７】
更に、演算部５０には、操作釦６５と、操作ダイヤル６６と、レリーズスイッチ（ＳＷ）６７と、記録メディア６９と、メモリ７０と、画像データメモリ７１とが接続されている。操作釦６５は、図示されないがメニュー釦、十字キー、ＯＫ釦等から成るもので、このカメラに種々の操作を行わせるためのものである。操作ダイヤル６６は、撮影時の撮影モードやスルー画モード等の選択を行うための選択手段としての操作部材である。
【００５８】
レリーズスイッチ６７は、撮影準備動作及び露光動作を実行させるための釦である。このレリーズスイッチ６７は、第１レリーズスイッチと第２レリーズスイッチの２段式のスイッチで構成されており、図示されないレリーズ釦が半押し操作されることによって、第１レリーズスイッチがオンされて測光処理や測距処理などの撮影準備動作が実行される。また、上記レリーズ釦が全押し操作されることによって、第２レリーズスイッチがオンされて露光動作が実行される。
【００５９】
上記記録メディア６９は、図示されないカメラのインターフェイスを介してカメラボディ１０に対し脱着可能な各種のメモリカードや外付けのハードディスクドライブ（ＨＤＤ）等の記録媒体である。メモリ７０は、デジタルカメラ全体の制御を行うための制御プログラムが予め記憶されているものである。また、画像データメモリ７１は、画像データを一時的に保管するためのメモリである。
【００６０】
一方、交換レンズ８０には、該交換レンズ８０内の各部を駆動制御するもので、ＣＰＵ等で構成された演算部８１を有している。この演算部８１には、モータ駆動回路８２を介してフォーカスモータ８３と、絞り駆動回路８４を介して絞りモータ８５と、フォーカスパルスカウンタ８７と、ズームエンコーダ８８と、メモリ９０とが接続されている。
【００６１】
上記フォーカスモータ８３は、上記カメラボディ１０内の測距センサ５５の測距結果に基づいて交換レンズ８０内の図示されないフォーカスレンズを駆動するためのモータである。同様に、絞りモータ８５は、上記カメラボディ１０内の測光センサ５６の測光結果に基づいて、交換レンズ８０内の図示されない絞りを駆動するためのモータである。フォーカスパルスカウンタ８７は、上記フォーカスレンズを駆動させるにあたり、該フォーカスレンズの移動を検出して位置制御を行うためのものである。また、ズームエンコーダ８８は、図示されない撮影レンズの焦点距離に応じた移動信号を検出して演算部８１に出力する。更に、メモリ９０は、この交換レンズ８０内のレンズ情報が記憶されている記憶手段である。
【００６２】
尚、演算部８１は、図示されない通信コネクタ等を介して、カメラボディ１０内の演算部５０と電気的に接続がなされる。そして、演算部８１は、カメラボディ１０の演算部５０の指令に従って制御される。
【００６３】
次に、本発明の第１の実施形態に係るカメラの動作について説明する。
【００６４】
このカメラは、操作ダイヤル６６が操作されてスルー画モードが選択されることにより、スルー画モードに入る。これにより、図示されないメインルーチンから図７に示されるスルー画モードのサブルーチンが動作される。
【００６５】
図７は、第１の実施形態に於いてスルー画モードでのカメラの動作を説明するフローチャートである。尚、このカメラの動作は、主にカメラボディ１０内の演算部５０の制御によって行われる。
【００６６】
スルー画モードのルーチンに入ると、先ず、ステップＳ１に於いて、上述した２段式のレリーズスイッチ６７の半押し状態である第１（１ｓｔ）レリーズスイッチの状態が判定される。ここでは、第１レリーズスイッチがオンされるまで待機する。そして、第１レリーズスイッチがオンされたならば、続くステップＳ２に於いて、合焦したか否かが判定される。ここで、合焦していない場合は、ステップＳ３に移行して再度第１レリーズスイッチの状態が判定される。
【００６７】
そして、このステップＳ３にて第１レリーズスイッチがオンされているならば、ステップＳ４に移行してピントずれ量が演算され、更にステップＳ５にて、上記ステップＳ４で演算されたピントずれ量に基づいて、モータ駆動回路８２を介してフォーカスモータ８３が駆動されて撮影レンズが調整される。その後、上記ステップＳ２へ移行する。一方、上記ステップＳ３にて第１レリーズスイッチがオフになったならば、上記ステップＳ１へ移行する。
【００６８】
上記ステップＳ２に於いて合焦したならば、ステップＳ６へ移行して測光及びその処理の演算が行われる。ここでは、絞り値、シャッタ速度が決定される。次いで、ステップＳ７に於いて、上述した２段式のレリーズスイッチ６７の全押し状態である第２（２ｎｄ）レリーズスイッチの状態が判定される。ここで、第２レリーズスイッチがオンされていない場合は、ステップＳ８に移行して第１レリーズスイッチの状態が判定される。そして、ステップＳ８で第１レリーズスイッチがオンされている場合は上記ステップＳ２へ移行し、オンされていない場合は上記ステップＳ１へ移行して、それぞれ以降の処理動作が繰り返される。
【００６９】
上記ステップＳ７にて第２レリーズスイッチがオンされたならば、ステップＳ９へ移行してモニタ４０が消灯される。続いて、ステップＳ１０にて、モータ駆動回路５１を介してシャッタミラー駆動モータ５２が駆動される。次いで、ステップＳ１１にて、イメージャ駆動回路６０を介して、イメージャ３５の駆動が停止される。この後、ステップＳ１２に於いて、シャッタ幕の閉鎖、及びメインミラー１１がアップ、すなわち撮影光路内から図示されない退避位置まで移動したか否かが判定され、シャッタ幕の閉鎖及びメインミラー１１の移動が完了するまで待機する。そして、シャッタ幕の閉鎖、メインミラー１１のアップが完了したならば、ステップＳ１３にて、シャッタミラー駆動モータ５２が停止される。
【００７０】
ここで、ステップＳ１４にて、イメージャ３５による露光、すなわち撮像が行われる。続いて、ステップＳ１５では、この撮像によって取り込まれた被写体像が読み出され、更にステップＳ１６にて絞りモータ８５が駆動される。ステップＳ１７では、シャッタ制御回路５３によるシャッタ幕の開放、シャッタミラー駆動モータ５２によるメインミラー１１のダウン（退避位置から撮影光路内への復帰）、及びチャージカムスイッチ５７によるシャッタチャージが完了するまで待機する。そして、シャッタ幕の開放、メインミラー１１のダウン及びシャッタチャージが完了したならば、ステップＳ１８に移行してシャッタミラー駆動モータ５２が停止される。
【００７１】
次に、ステップＳ１９に於いて、イメージャ３５が駆動されてスルー画が表示可能状態となる。そして、ステップＳ２０にて、モニタ４０が点灯される。これにより、モニタ４０を通じて、イメージャ３５で撮像されたスルー画としての被写体像を確認することができる。その後、上記ステップＳ１に移行する。
【００７２】
このように、第１の実施形態によれば、位相差ＡＦ動作とスルー画表示を両立させると共に、フォーカシングスクリーンを交換可能な一眼レフカメラを実現することができる。
【００７３】
（第２の実施形態）
次に、本発明の第２の実施形態について説明する。
【００７４】
上述した第１の実施形態では、フォーカシングスクリーン１０３の傾きを、スクリーン受台１００とファインダ本体１２０との間に挿入するスペーサの厚さ、個数を変更することによって調整していたが、これに限られるものではない。例えば、本第２の実施形態では、スペーサに代えて調整スプリングを用いることによってすることによってフォーカシングスクリーン１０３の傾きを調整するようにしている。
【００７５】
以下、図８を参照して、本発明の第２の実施形態について説明する。
【００７６】
図８は、本発明の第２の実施形態を示すもので、フォーカシングスクリーンを調整するための機構の断面図である。
【００７７】
尚、本第２の実施形態に於いて、フォーカシングスクリーンを調整する機構以外の構成は、上述した第１の実施形態の一眼レフカメラの構成と同じである。したがって、説明の重複を避けるため、以下の説明に於いて、同一の部分には同一の参照番号を付して、その図示及び説明を省略し、異なる部分についてのみ説明する。
【００７８】
図８に於いて、スクリーン受台１００には、調整ネジ１２８を挿通させるためのネジ孔１２３が形成されており、ファインダ本体１２０の上記ネジ孔１２３に対応する位置には、ネジ穴１２７が形成されている。そして、上記スクリーン受台１００とファインダ本体１２０の間で、調整ネジ１２８に巻回するように調整スプリング１２９が挿入される。つまり、調整ネジ１２８は、ネジ孔１２３、調整スプリング１２９を挿通して、ファインダ本体１２０のネジ穴１２７に螺合される。
【００７９】
図８に於いては、調整ネジ１２８、調整スプリング１２９、ネジ孔１２３、ネジ穴１２７は、それぞれ２つしか示されていないが、実際にはそれぞれ３つ用いられている。そして、この構成によって、スクリーン受台１００は、常に調整ネジ１２８側に当接しているため、３つの調整ネジ１２８の回転角の調整により、スクリーン枠１０２の高さ、傾きを調整するようにする。
【００８０】
このように、第２の実施形態によれば、スペーサに代えて調整スプリングを用いているので、フォーカシングスクリーン１０３の傾きを、より細かく正確に調整することが可能となる。
【００８１】
以上、本発明の実施形態について説明したが、本発明は上述した実施形態以外にも、本発明の要旨を逸脱しない範囲で種々の変形実施が可能である。
【図面の簡単な説明】
【００８２】
【図１】本発明の第１の実施形態を示すもので、本発明に係るデジタル一眼レフカメラの本体部の構成を示す断面図であり、被写体観察時の状態を示した図である。
【図２】本発明の第１の実施形態を示すもので、本発明に係るデジタル一眼レフカメラの本体部の構成を示す断面図であり、フォーカシングスクリーンの交換時の状態を示した図である。
【図３】図１のルーペ光学系である接眼レンズユニット１１０をカメラボディ１０より取り外した状態を示した図である。
【図４】フォーカシングスクリーン１０３を保持する機構について説明するもので、（ａ）はスクリーン枠１０２の閉鎖状態を示した図、（ｂ）はスクリーン枠の開放状態の例を示した図である。
【図５】フォーカシングスクリーン１０３を調整するための機構について説明するもので、（ａ）はその断面図、（ｂ）は斜視図である。
【図６】本発明の第１の実施形態に於けるデジタル一眼レフカメラの電気系の構成を示すブロック図である。
【図７】本発明の第１の実施形態に於いてスルー画モードでのカメラの動作を説明するフローチャートである。
【図８】本発明の第２の実施形態を示すもので、フォーカシングスクリーンを調整するための機構の断面図である。
【符号の説明】
【００８３】
１０…カメラボディ、１１…メインミラー、１２…カバーガラス、１３…プリズム、１５…ミラーＡ（ミラー（Ａ））、１６…リレー系レンズ、１７…ミラーＢ（ミラー（Ｂ））、１８…ミラーＣ（ミラー（Ｃ））、２１…コンデンサレンズ、２２…セパレータ絞り、２３…セパレータレンズ、２５…ＡＦ光学系、２７…ＡＦセンサ、３３…フォーカルプレーンシャッタ、３４…ローパスフィルタ、３５…イメージャ、３６…イメージャプレート、４０…モニタ、４５…ボディマウント、５０…演算部、５１…モータ駆動回路、５２…シャッタミラー駆動モータ、５３…シャッタ制御回路、５６…測光センサ、５７…チャージカムスイッチ（ＳＷ）、５８…先幕スイッチ（ＳＷ）、６０…イメージャ駆動回路、６２…モニタ駆動回路、６５…操作釦、６６…操作ダイヤル、６７…レリーズスイッチ（ＳＷ）、６９…記録メディア、７０…メモリ、７１…画像データメモリ、８０…交換レンズ、８１…演算部、８２…モータ駆動回路、８３…フォーカスモータ、８４…絞り駆動回路、８５…絞りモータ、８７…フォーカスパルスカウンタ、８８…ズームエンコーダ、９０…メモリ、１００…スクリーン受台、１０１…スクリーン枠保持板、１０２…スクリーン枠、１０３…フォーカシングスクリーン、１１０…接眼レンズユニット、１１１…接眼枠、１１２…視度調整レンズ、１１３…接眼ガラス、１１５…アイカップ、１２０…ファインダ本体。
【図１】
0004694291.tif 000002
【図２】
0004694291.tif 000003
【図３】
0004694291.tif 000004
【図４】
0004694291.tif 000005
【図５】
0004694291.tif 000006
【図６】
0004694291.tif 000007
【図７】
0004694291.tif 000008
【図８】
0004694291.tif 000009